(57)【要約】【課題】製造しやすく、作業性を良好にした配電盤を提供する。【解決手段】受電設備の２次側に設置され、前面操作パネル１１にブレーカや操作スイッチ等の操作部材１５が設置され、前面操作パネル１１の裏側の結線部１７から２次配線Ａを延ばすようにした配電盤１０において、前面操作パネル１１の両端から延設される側面パネル２０に上下複数の取付枠３０を固設し、取付枠３０に端子台３５を装着し、２次配線Ａを、結線部１７から前面操作パネル１１の背面に沿って横に延ばし、側面パネル２０に沿って延ばした２次配線Ａを取付枠３０に装着された端子台３５に結線し、取付枠３０に装着された端子台３５に対象部署への延伸配線Ｂを結線して側面パネル２０に沿って延ばして外部に引き出し、対象部署に延ばすようにした。【選択図】図１
2011097719.tif 000002
【特許請求の範囲】
【請求項１】
受電設備の２次側に設置され、前面操作パネルにブレーカや操作スイッチ等の操作部材が設置され、該前面操作パネルの裏側の結線部から２次配線を延ばすようにした配電盤において、
前記前面操作パネルの両端から延設される側面パネルに上下複数の取付枠を固設し、該取付枠に端子台を装着し、
前記２次配線を、結線部から前記前面操作パネルの背面に沿って横に延ばし、側面パネルに沿って延ばした前記２次配線を前記取付枠に装着された端子台に結線し、
前記取付枠に装着された端子台に対象部署への延伸配線を結線して側面パネルに沿って延ばして外部に引き出し、対象部署に延ばすようにしたことを特徴とする配電盤。
【請求項２】
前記前面操作パネルの裏側の結線部ならびに電源に接続されるブスバーを含む暴露帯電部位を透明な絶縁パネルで覆って隔離するようにしたことを特徴とする請求項１に記載の配電盤。
【請求項３】
前記取付枠は前記側面パネルに沿って傾斜して設けられていることを特徴とする請求項１に記載の配電盤。
【発明の詳細な説明】
【技術分野】
【０００１】
本発明は、受電設備の２次側に設置され、前面操作パネルにブレーカや操作スイッチ等の操作部材が設置され、該前面操作パネルの裏側の結線部から２次配線を延ばすようにした配電盤に関する。
【背景技術】
【０００２】
従来の技術としては、例えば特許文献１に示すようなものがある。  
すなわち、特許文献１には、配電盤の箱体左右にケーブル接線スペースを設け、該ケーブル接線スペース内に負荷ケーブル接続用端子台を上下複数段を段違いに設け、該ケーブル接線スペースを保護カバーで被うようにした技術が開示されている。
【先行技術文献】
【特許文献】
【０００３】
【特許文献１】特開２００３−１４３７２０号公報
【発明の概要】
【発明が解決しようとする課題】
【０００４】
しかしながら、このような従来の技術では、側部の負荷ケーブル接続用端子台が複雑に重畳し、構造が複雑で製造しにくく、横方向に幅があるので作業性が悪いという問題点があった。
【０００５】
本発明は、このような従来の技術が有する問題点に着目してなされたもので、製造しやすく、作業性を良好にした配電盤を提供することを目的としている。
【課題を解決するための手段】
【０００６】
かかる目的を達成するための本発明の要旨とするところは、次の各項の発明に存する。
［１］  受電設備の２次側に設置され、前面操作パネル（１１）にブレーカや操作スイッチ等の操作部材（１５，１５…）が設置され、該前面操作パネル（１１）の裏側の結線部（１７，１７…）から２次配線（Ａ，Ａ…）を延ばすようにした配電盤（１０）において、
前記前面操作パネル（１１）の両端から延設される側面パネル（２０，２０）に上下複数の取付枠（３０，３０…）を固設し、該取付枠（３０，３０…）に端子台（３５，３５…）を装着し、
前記２次配線（Ａ，Ａ…）を、結線部（１７，１７…）から前記前面操作パネル（１１）の背面に沿って横に延ばし、側面パネル（２０，２０）に沿って延ばした前記２次配線（Ａ，Ａ…）を前記取付枠（３０，３０…）に装着された端子台（３５，３５…）に結線し、
前記取付枠（３０，３０…）に装着された端子台（３５，３５…）に対象部署への延伸配線（Ｂ，Ｂ…）を結線して側面パネル（２０，２０）に沿って延ばして外部に引き出し、対象部署に延ばすようにしたことを特徴とする配電盤（１０）。
【０００７】
［２］  前記前面操作パネル（１１）の裏側の結線部（１７，１７…）ならびに電源に接続されるブスバー（Ｃ）を含む暴露帯電部位を透明な絶縁パネル（４０）で覆って隔離するようにしたことを特徴とする項１に記載の配電盤（１０）。
【０００８】
［３］  前記取付枠（３０，３０…）は前記側面パネル（２０，２０）に沿って傾斜して設けられていることを特徴とする項１に記載の配電盤（１０）。
【０００９】
前記本発明は、次のように作用する。  
配電盤（１０）は、受電設備の２次側に設置され、前面操作パネル（１１）のブレーカや操作スイッチ等の操作部材（１５，１５…）により電気系を制御する。
【００１０】
前面操作パネル（１１）の裏側の結線部（１７，１７…）に接続された２次配線（Ａ，Ａ…）は、結線部（１７，１７…）から前面操作パネル（１１）の背面に沿って横に延びてから、側面パネル（２０，２０）に沿って延び、取付枠（３０，３０…）に装着された端子台（３５，３５…）に結線される。
【００１１】
前面操作パネル（１１）の裏側が２次配線（Ａ，Ａ…）により隠されることがないので、作業性が良く、点検の際の視認も容易にできる。
【００１２】
前面操作パネル（１１）の両端から延設される側面パネル（２０，２０）に上下複数の取付枠（３０，３０…）が固設されていて、該取付枠（３０，３０…）に端子台（３５，３５…）を装着するので、２次配線（Ａ，Ａ…）を端子台（３５，３５…）に接続する作業が容易であり、日常点検も容易である。
【００１３】
取付枠（３０，３０…）に装着された端子台（３５，３５…）に対象部署への延伸配線（Ｂ，Ｂ…）を結線して側面パネル（２０，２０）に沿って延ばして外部に引き出して対象部署に延ばすようになっているので、２次配線（Ａ，Ａ…）と延伸配線（Ｂ，Ｂ…）とが側面パネル（２０，２０）の内面に平面的に配置され、結線作業や日常保守が容易にできる。また、対象となる端子台（３５，３５…）による最小限の停電で作業をすることが可能になる。
【００１４】
前面操作パネル（１１）の裏側の結線部（１７，１７…）ならびに電源に接続されるブスバー（Ｃ）を含む暴露帯電部位を透明な絶縁パネル（４０）で覆って隔離するようにしたので、側面パネル（２０，２０）の端子台（３５，３５…）や２次配線（Ａ，Ａ…）と延伸配線（Ｂ，Ｂ…）を作業する際、安全である。
【００１５】
取付枠（３０，３０…）は側面パネル（２０，２０）に沿って傾斜して設けられているので、傾斜の片側の作業性がよい。
【発明の効果】
【００１６】
本発明に係る配電盤によれば、前面操作パネルの裏側が２次配線により隠されることがないので、作業性が良く、点検の際の視認も容易である。取付枠に装着された端子台に対象部署への延伸配線を結線して側面パネルに沿って延ばして外部に引き出して対象部署に延ばすようになっているので、２次配線と延伸配線とが側面パネルの内面に平面的に配置され、結線作業や日常保守が容易にできる。また平面的配置であるので、製造も容易である。暴露帯電部位を透明な絶縁パネルで覆って隔離するようにしたので、側面パネルの端子台や２次配線と延伸配線を作業する際、安全である。取付枠は側面パネルに沿って傾斜して設けられていると、傾斜の片側の作業性がよい。
【図面の簡単な説明】
【００１７】
【図１】本発明の一の実施の形態に係る配電盤の内部を示す要部斜視図である。
【図２】本発明の一の実施の形態に係る配電盤の内部を示す要部斜視図である。
【図３】本発明の一の実施の形態に係る配電盤の前面操作パネル示す正面図である。
【図４】本発明の一の実施の形態に係る配電盤の前面操作パネルの裏側示す背面図である。
【図５】本発明の一の実施の形態に係る配電盤の内部を示す側面図である。
【図６】本発明の一の実施の形態に係る配電盤の内部を示す平面図である。
【発明を実施するための形態】
【００１８】
以下、図面に基づき本発明の一の実施の形態を説明する。  
各図は本発明の一の実施の形態を示している。  
配電盤１０は、受電設備の２次側に設置され、前面操作パネル１１に操作部材１５，１５…が設置されている。操作部材１５，１５…は、ブレーカや操作スイッチ等である。そして、前面操作パネル１１の裏側の結線部１７，１７…から２次配線Ａ，Ａ…を延ばすようになっている。
【００１９】
前面操作パネル１１の両端から側面パネル２０，２０が延設され、側面パネル２０，２０に上下複数の取付枠３０，３０…が固設されている。この取付枠３０，３０…に端子台３５，３５…が装着されている。
【００２０】
２次配線Ａ，Ａ…は、結線部１７，１７…から前面操作パネル１１の背面に沿って横に延ばされ、端で屈曲されて側面パネル２０，２０に沿って延ばした２次配線Ａ，Ａ…を取付枠３０，３０…に装着された端子台３５，３５…に結線してある。
【００２１】
そして、取付枠３０，３０…に装着された端子台３５，３５…に対象部署への延伸配線Ｂ，Ｂ…が結線され、延伸配線Ｂ，Ｂ…は、側面パネル２０，２０に沿って延ばされ、外部に引き出して対象部署に延ばして接続されている。
【００２２】
前面操作パネル１１の裏側の結線部１７，１７…ならびに電源に接続されるブスバーＣを含む暴露帯電部位は透明な絶縁パネル４０で覆って隔離されている。
【００２３】
取付枠３０，３０…は側面パネル２０，２０に沿って傾斜して設けられている。傾斜は作業しやすい上面に作業上意味のある部材が来るように設定される。
【００２４】
次に作用を説明する。  
配電盤１０は、受電設備の２次側に設置され、前面操作パネル１１のブレーカや操作スイッチ等の操作部材１５，１５…により電気系を制御する。
【００２５】
前面操作パネル１１の裏側の結線部１７，１７…に接続された２次配線Ａ，Ａ…は、結線部１７，１７…から前面操作パネル１１の背面に沿って横に延びてから、側面パネル２０，２０に沿って延び、取付枠３０，３０…に装着された端子台３５，３５…に結線される。
【００２６】
前面操作パネル１１の裏側が２次配線Ａ，Ａ…により隠されることがないので、作業性が良く、点検の際の視認も容易にできる。
【００２７】
前面操作パネル１１の両端から延設される側面パネル２０，２０に上下複数の取付枠３０，３０…が固設されていて、該取付枠３０，３０…に端子台３５，３５…を装着するので、２次配線Ａ，Ａ…を端子台３５，３５…に接続する作業が容易であり、日常点検も容易である。
【００２８】
取付枠３０，３０…に装着された端子台３５，３５…に対象部署への延伸配線Ｂ，Ｂ…を結線して側面パネル２０，２０に沿って延ばして外部に引き出して対象部署に延ばすようになっているので、２次配線Ａ，Ａ…と延伸配線Ｂ，Ｂ…とが側面パネル２０，２０の内面に平面的に配置され、結線作業や日常保守が容易にできる。また、対象となる端子台３５，３５…による最小限の停電で作業をすることが可能になる。
【００２９】
前面操作パネル１１の裏側の結線部１７，１７…ならびに電源に接続されるブスバーＣを含む暴露帯電部位を透明な絶縁パネル４０で覆って隔離するようにしたので、側面パネル２０，２０の端子台３５，３５…や２次配線Ａ，Ａ…と延伸配線Ｂ，Ｂ…を作業する際、安全である。
【００３０】
取付枠３０，３０…は側面パネル２０，２０に沿って傾斜して設けられているので、傾斜の片側にアクセスしやすく、作業性がよい。
【符号の説明】
【００３１】
Ａ…２次配線
Ｂ…延伸配線
Ｃ…ブスバー
１０…配電盤
１１…前面操作パネル
１５…操作部材
１７…結線部
２０…側面パネル
３０…取付枠
３５…端子台
４０…絶縁パネル
【図１】
2011097719.tif 000003
【図２】
2011097719.tif 000004
【図３】
2011097719.tif 000005
【図４】
2011097719.tif 000006
【図５】
2011097719.tif 000007
【図６】
2011097719.tif 000008